(57)【特許請求の範囲】
【請求項１】
上面に作業面を有する天板と、
前記天板を、少なくとも利用者が座った状態で使用可能な位置から立った状態で使用可能な位置まで上下方向に昇降可能に支持する昇降機構ユニットを備えた脚体と、を備え、
前記天板は、
前記作業面と、
利用者が対向する前記天板の前側の端部の上側に、前方に向かって下方に傾斜する上部傾斜部と、
前記天板の前端を形成する前端面と、が一体に連続して形成され、
前記天板は、
前記作業面と、前記上部傾斜部と、前記前端面とに沿った形状を有する鋼製の支持材と、
前記支持材の表面を被覆する被覆材と、を一体に備え、
前記支持材のうち、前記上部傾斜部と前記前端面とに囲まれた部分に、前記支持材を下方から支持する前部補強材が配置され、
前記天板は、前記端部の下側に、下方に向かって後方に傾斜する下部傾斜部を有し、
前記下部傾斜部の後方であって、前記前部補強部材の下面に、前記昇降機構ユニットの昇降動作を操作する操作部が設けられていることを特徴とする天板昇降式デスク。
【請求項２】
前記脚体は、前記天板の前記端部と、前記端部と反対側の端部とを結ぶ前後方向の中間部に支柱を有していることを特徴とする請求項１に記載の天板昇降式デスク。
【発明の詳細な説明】
【技術分野】
【０００１】
本発明は、天板昇降式デスクに関する。
【背景技術】
【０００２】
オフィスや公共施設等の執務空間においては、執務者に作業エリアを提供するためにデスクが配設されているのが一般的である。このようなデスクにおいて、作業のし易い天板高さは、執務者の体格や性別、嗜好、作業内容等によって個々によって大きく異なる。そこで、天板高さを上下に変更可能とした天板昇降式デスクが提供されている。
【０００３】
天板高さを上下に変更するための手法としては、ガススプリングを用いる構成（例えば、特許文献１、特許文献２参照）や、ギアを用いる構成等が提案されている。また、天板高さを自動的に上下変更できる電動式駆動ユニット（昇降駆動ユニット）を用いる構成も提案されている（例えば、特許文献３、特許文献４、特許文献５参照）。
【先行技術文献】
【特許文献】
【０００４】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特開２０１４−１４０７５３号公報
【発明の概要】
【発明が解決しようとする課題】
【０００５】
しかしながら、天板を比較的高い位置に配置した場合、利用者が、天板の上方に乗り出したり、または天板の前端部に寄りかかるようにすると、天板の前端部が胴部前面や腕部に食い込む。そのような状態が長時間あるいは複数回にわたると、利用者が不快感を得る等して、使用環境が損なわれることがある。特に、長時間にわたって立ち作業を行うと、利用者は前傾し、天板の前端部に寄りかかることが多い。すると、天板の前端部に寄りかかる利用者の身体部位に大きな力がかかり、天板の前端部が、より食い込んでしまう。
そこでなされた本発明の目的は、天板の前端部が利用者に食い込むのを抑え、快適な使用環境で使用することができる天板昇降式デスクを提供することである。
【課題を解決するための手段】
【０００６】
本発明は、上記課題を解決するため、以下の手段を採用する。
この発明に係る天板昇降式デスクは、上面に作業面を有する天板と、前記天板を、少なくとも利用者が座った状態で使用可能な位置から立った状態で使用可能な位置まで上下方向に昇降可能に支持する昇降機構ユニットを備えた脚体と、を備え、前記天板は、前記作業面と、利用者が対向する前記天板の前側の端部の上側に、前方に向かって下方に傾斜する上部傾斜部と、前記天板の前端を形成する前端面と、が一体に連続して形成され、前記天板は、前記作業面と、前記上部傾斜部と、前記前端面とに沿った形状を有する鋼製の支持材と、前記支持材の表面を被覆する被覆材と、を一体に備え、前記支持材のうち、前記上部傾斜部と前記前端面とに囲まれた部分に、前記支持材を下方から支持する前部補強材が配置され、前記天板は、前記端部の下側に、下方に向かって後方に傾斜する下部傾斜部を有し、前記下部傾斜部の後方であって、前記前部補強部材の下面に、前記昇降機構ユニットの昇降動作を操作する操作部が設けられていることを特徴とする。
このように、天板の端部の上面に、前方に向かって下方に傾斜する上部傾斜部を備えることで、利用者の胴部や腕等に、天板の端部が食い込むのを抑えることができる。
また、作業面と上部傾斜部と前端面とを一体に連続して形成することで、天板の外表面が滑らかになる。
さらに、上記のような天板の端部の形状を、例えば木系材料で実現した場合、強度を確保するために、天板の上下方向の厚みを大きく確保する必要がある。これに対して、天板を、鋼製の支持材と表面被覆材とで構成することで、天板の厚みを薄く抑えつつ、天板としての強度を確保することができる。
【０００７】
また、天板の端部の下側に下部傾斜部を形成しない構成に比較し、天板の下方空間への視野が広まる。また、支持体の端部を薄く見せることができ、天板の見栄えを向上させることができる。
【０００８】
また、下部傾斜部により、天板の端部の下側に設けられた操作部の視認性が高まる。
【００１１】
また、この発明に係る天板昇降式デスクは、前記脚体が、前記天板の前記端部と、前記端部と反対側の端部とを結ぶ前後方向の中間部に支柱を有しているようにしてもよい。
脚体の支柱が天板の前後方向の中間部に位置している場合、天板の端部に荷重がかかると、支柱に大きなモーメントが作用する。この発明においては、天板の端部に上部傾斜部が形成されているので、天板の端部に手を掛けたり物品を載置する等にしても、上部傾斜部には載置しにくい。したがって、手を掛けたり物品を載置することによって天板に荷重が作用する領域は、上部傾斜部よりも後方の領域となる。したがって、荷重の作用点は、支柱に対し、より近い位置となり、支柱に作用するモーメントが小さくなる。これによって、天板昇降式デスクの耐転倒性を高めることができる。
【発明の効果】
【００１２】
この発明に係る天板昇降式デスクによれば、天板の端部に上部傾斜部を形成することで、天板の端部が利用者に食い込むのを抑え、快適な使用環境で使用することが可能となる。
【図面の簡単な説明】
【００１３】
【図１】この発明の一実施形態に係る天板昇降式デスクを斜め前方から見た斜視図である。
【図２】上記天板昇降式デスクを斜め後方から見た斜視図である。
【図３】上記天板昇降式デスクの天板の側断面図である。
【図４】上記天板の後端部の側断面図である。
【図５】上記天板の前端部の側断面図である。
【発明を実施するための形態】
【００１４】
以下、添付図面を参照して、本発明による天板昇降式デスクを実施するための形態を説明する。しかし、本発明はこの実施形態のみに限定されるものではない。
【００１５】
図１は、この発明の一実施形態に係る天板昇降式デスクを斜め前方から見た斜視図である。図２は、上記天板昇降式デスクを斜め後方から見た斜視図である。
図１、図２に示すように、天板昇降式デスク１は、一対の脚体２，２と、これら一対の脚体２、２間を連結する連結部材（図示無し）と、平面視長方形状の平板状の天板４と、を備えている。
【００１６】
脚体２，２は、天板４の長辺方向（以下、この方向を幅方向と適宜称する。）に間隔をあけて配置されている。
各脚体２は、床面上に配置される下部支持体８と、下部支持体８の上方に配置されて天板４の下面を支持する上部支持体９と、これら下部支持体８と上部支持体９との間を伸縮可能に連結し、天板４を少なくとも利用者が座った状態で使用可能な位置から立った状態で使用可能な位置まで昇降させる昇降機構ユニット（支柱）５と、を備えている。
【００１７】
下部支持体８は、天板４の短辺方向（以下、この方向を前後方向と適宜称する。）に延びるよう設けられている。下部支持体８は、その前後の端部の下面に、それぞれアジャスター８ａ，８ａを備え、床面からの高さ調整が可能となっている。
上部支持体９は、下部支持体８の上方に配置され、前後方向に延びるよう設けられている。
【００１８】
昇降機構ユニット５は、上下方向に延び、下部支持体８と上部支持体９とを連結するよう設けられている。ここで、昇降機構ユニット５は、下部支持体８および上部支持体９の前後方向の中間部に配置されているが、下部支持体８および上部支持体９の前後方向の中心よりも後方にオフセットした位置に配置されている。
昇降機構ユニット５は、従来公知の構成からなるものであり、昇降機構ユニット５は、平断面寸法が互いに異なる複数の筒状体５ａ，５ｂを備えている。最も平断面寸法が大きな筒状体５ａの内側に、筒状体５ｂが挿入され、図示しない駆動機構によって、筒状体５ａに対し、その内側に挿入された筒状体５ｂが上下方向に出没する。なお、この実施形態では、筒状体５ａに内側に、外径が順次小さくなる２つの筒状体５ｂを挿入し、昇降機構ユニット５は２段階に伸縮する。このようにして、昇降機構ユニット５は、上下方向に伸縮することで、下部支持体８に対し、上部支持体９を上下方向に昇降可能に支持する。
【００１９】
天板４は、脚体２，２の上部支持体９，９、および連結部材（図示無し）の上面に支持されて設けられている。天板４は、上部支持体９，９、連結部材（図示無し）に、溶接、あるいはボルト等によって接合されている。
また、天板４の後部の左右両側部には、天板４を上下に貫通する配線挿通孔２１が穿設されている。
【００２０】
図３は、上記天板昇降式デスクの天板の側断面図である。図４は、上記天板の後端部の側断面図である。図５は、上記天板の前端部の側断面図である。
図１〜図３に示すように、天板４は、その上面に水平な作業面を形成する天面（作業面）４ｔを備えている。天板４の後端部４ｂと、幅方向両側の側端部４ｃ，４ｃは、それぞれ、天面４ｔの外周端から鉛直下方に垂下する垂下面Ｆｖと、垂下面Ｆｖの下端から天板４の水平方向内方に向かって折り返された折り返し面Ｆｃと、から形成されている。
また、図３、図４に示すように、天板４の後端部４ｂ、および側端部４ｃ，４ｃには、垂下面Ｆｖを覆う樹脂製のカバー材１０が装着されている。
【００２１】
図３、図５に示すように、天板４の前端部４ａは、天面４ｔに連続して、上部湾曲面Ｆ１、上部スラント面（上部傾斜部）Ｆ２、前端上部湾曲面（前端面）Ｆ３、前端下部湾曲面（下部傾斜部、前端面）Ｆ４、下部平面Ｆ５、を有している。
上部湾曲面Ｆ１は、天面４ｔから前方に向かって漸次下方に湾曲するよう形成されている。
上部スラント面Ｆ２は、上部湾曲面Ｆ１に連続し、前方に向かって下方に傾斜する平面状に形成されている。ここで、上部スラント面Ｆ２は、水平方向に対する下方への傾斜角が、例えば１０〜２０°、より好ましくは、１５〜２０°とされて形成されている。
前端上部湾曲面Ｆ３は、天板４の前端部４ａの前端面４ｆの一部を構成し、上部スラント面Ｆ２に連続し、前方に向かって下方に湾曲するよう形成されている。
前端下部湾曲面Ｆ４は、天板４の前端部４ａの前端面の残部を構成し、前端上部湾曲面Ｆ３に連続し、下方に向かって後方に湾曲するよう形成されている。
下部平面Ｆ５は、前端下部湾曲面Ｆ４に連続し、天面４ｔと平行に後方に向かって延びるよう形成されている。
【００２２】
図３に示すように、このような天板４は、ベース部材（支持材）１１と、表面被覆材（被覆材）１２と、後部補強材１３と、中間補強材１４と、前部補強材１５と、を備えて形成されている。
【００２３】
ベース部材１１は、鋼板からなり、前記天面４ｔ、後端部４ｂおよび側端部４ｃ，４ｃの垂下面Ｆｖ、折り返し面Ｆｃ、前端部４ａの上部湾曲面Ｆ１、上部スラント面Ｆ２、前端上部湾曲面Ｆ３、前端下部湾曲面Ｆ４、下部平面Ｆ５を一体に形成するよう、折り曲げ加工および湾曲加工がなされている。
【００２４】
表面被覆材１２は、例えばメラミン樹脂等からなり、ベース部材１１の外表面１１ｆ（図４、図５参照）の全体を覆うように形成されている。
【００２５】
図４に示すように、後部補強材１３は、ベース部材１１の後端部の下側に設けられている。後部補強材１３は、天板４の幅方向に延びるよう形成されている。後部補強材１３は、垂下面Ｆｖの内側に沿う後面１３ａと、後面１３ａの下端から前方に延びる下面１３ｂと、下面１３ｂの前端から上方に向かって延びる前面１３ｃと、前面１３ｃの上端から天板４の下面４ｕに沿って前方に向かって延びる前部接合面１３ｄと、を一体に備えている。下面１３ｂには、天板４の幅方向に延びる凹溝状のリブ１３ｅが形成されている。
この後部補強材１３は、鋼板を折り曲げ加工することで形成されている。後部補強材１３は、後面１３ａが天板４の後端部４ｂの垂下面Ｆｖに沿い、下面１３ｂの後端部が天板４の後端部４ｂの折り返し面Ｆｃ上に沿い、前部接合面１３ｄが天板４の下面４ｕに沿うよう配置されて、天板４に対し、スポット溶接等によって接合されている。
【００２６】
図３に示すように、中間補強材１４は、天板４の下面４ｕに、前後方向に間隔をあけて例えば２本が設けられている。中間補強材１４は、それぞれ天板４の幅方向に延びるよう形成されている。各中間補強材１４は、天板４の下面４ｕに沿う前部接合面１４ａおよび後部接合面１４ｂと、前部接合面１４ａから鉛直下方に垂下する前面１４ｃと、後部接合面１４ｂから鉛直下方に垂下する後面１４ｄと、水平面内に位置し、前面１４ｃの下端と後面１４ｄの下端とを連結する下面１４ｅと、を一体に備える。中間補強材１４は、鋼板を折り曲げ加工することで形成されている。中間補強材１４は、前部接合面１４ａと後部接合面１４ｂとをそれぞれ天板４の下面４ｕに突き当てた状態でスポット溶接等により接合されている。
【００２７】
図５に示すように、前部補強材１５は、天板４の下面４ｕに沿う後部接合面１５ａと、後部接合面１５ａから鉛直下方に垂下する後面１５ｂと、後面１５ｂの下端から前方に向けて延びる下面１５ｃと、下面１５ｃの前端部において上方に屈曲する段部１５ｄと、段部１５ｄから前方に向けて延び、ベース部材１１の下部平面Ｆ５の上面に沿う前部支持面１５ｅと、前部支持面１５ｅの前端から鉛直上方に向けて延びる前面１５ｆと、前面１５ｆの上端から後方に向かって斜め上方に延び、ベース部材１１の上部スラント面Ｆ２の下側に沿う前部傾斜面１５ｇと、を一体に備える。前部補強材１５は、鋼板を折り曲げ加工することで形成されている。前部補強材１５は、前部支持面１５ｅと、前面１５ｆと、前部傾斜面１５ｇとを、天板４の前端部４ａの下部平面Ｆ５と上部スラント面Ｆ２との間に後方から挿入し、後部接合面１５ａを天板４の下面４ｕに突き当てるとともに、スポット溶接等により接合する。
【００２８】
天板昇降式デスク１は、左右の脚体２，２の昇降機構ユニット５，５の動作を制御する制御ユニット（図示無し）と、制御ユニット（図示無し）に昇降動作信号を入力するための操作部７と、をさらに備えている。
制御ユニット（図示無し）は、例えば、天板４の下面４ｕや連結部材（図示無し）に固定されている。この制御ユニット（図示無し）には、天板昇降式デスク１が配置される執務空間に設けられた商用電源に接続される電源ケーブル２０（図１参照）が接続されている。
【００２９】
操作部７は、制御ユニット（図示無し）に、図示しない配線ケーブルを介して電気的に接続されている。
操作部７は、天板４の前端部４ａの下側に配置されている。図３、図５に示すように、操作部７は、前部補強材１５の下面１５ｃに、取付ブラケット２２を介して設けられている。取付ブラケット２２は、例えば側断面視Ｌ字状で、前部補強材１５の下面１５ｃにビス（図示無し）等によって固定される固定部２２ａと、固定部２２ａの前端から下方に延びる操作部支持部２２ｂと、を一体に備えている。操作部７は、操作部支持部２２ｂの前面に、ビス（図示無し）等によって装着されている。
ここで、取付ブラケット２２に装着される操作部７は、操作部支持部２２ｂに装着する操作部７が、天板４の前端部４ａよりも後方に位置し、天板４の下方空間内に位置するよう設けられている。
【００３０】
この取付ブラケット２２は、天板４の前端部４ａに対向する利用者から見て、斜め下方に位置するように設けられている。そして、天板４の前端部４ａは、その下側に前端下部湾曲面Ｆ４が形成されているので、前端部４ａの下側を垂直面によって形成した場合に比較し、天板４の下方空間内に位置する操作部７が視認しやすくなっている。
【００３１】
利用者が操作部７に対して所定の操作を入力すると、操作部７から配線ケーブル（図示無し）を介し、制御ユニット（図示無し）に操作信号が送信される。制御ユニット（図示無し）は、操作部７から操作信号を受信すると、受信した信号に基づいて昇降機構ユニット５に昇降動作を実行させる指令信号を出力する。左右一対の脚体２，２の昇降機構ユニット５，５は、指令信号を受け取ると、その指令信号に応じて伸縮駆動され、これによって天板４の高さの調整がなされる。ここで、天板４の高さは、少なくとも利用者が座った状態で使用可能な位置から立った状態で使用可能な位置まで昇降できるよう、例えば最も広い範囲として床面から６５０ｍｍ〜１２５０ｍｍ、実際に使用が想定される範囲として床面から７００ｍｍ〜１１５０ｍｍの範囲内で調整可能とされている。
【００３２】
上述したような天板昇降式デスク１によれば、天板４の前端部４ａの上側に、前方に向かって下方に傾斜する上部スラント面Ｆ２を備えることで、利用者の胴部や腕等に、天板４の前端部４ａが食い込むのを抑えることができる。これにより、天板昇降式デスク１を快適な使用環境で使用することが可能となる。利用者が、長時間にわたって立ち作業を行い、利用者が前傾して天板４の前端部４ａに寄りかかっても、天板４の前端部４ａが食い込んで利用者の身体部位に大きな力がかかるのを抑えることができる。
【００３３】
また、天板４が、前端部４ａの下側に、下方に向かって後方に傾斜する前端下部湾曲面Ｆ４を有している。このように構成することで、天板４の前端部４ａの下側に前端下部湾曲面Ｆ４を形成しない構成に比較し、天板４の下方空間への視野が広まる。また、支持体の前端部４ａを薄く見せることができ、天板４の見栄えを向上させることができる。
【００３４】
さらに、天板４の前端部４ａの下側かつ前端下部湾曲面Ｆ４の後方に、昇降機構ユニット５の昇降動作を操作する操作部７が設けられている。このように構成では、前端下部湾曲面Ｆ４によって、天板４の前端部４ａの下側に設けられた操作部７の視認性が高まる。したがって、利用者が天板４を上下昇降させる際の操作性を良好にすることができる。
【００３５】
また、天板４は、天面４ｔと、上部スラント面Ｆ２と、前端上部湾曲面Ｆ３および前端下部湾曲面Ｆ４とを一体に連続して形成することで、天板４の外表面が滑らかになる。
さらに、上記のような天板４の前端部４ａの形状を、例えば木系材料で実現した場合、前端部４ａの強度を確保するために、前端部４ａの上下方向の厚みを大きく確保する必要がある。これに対して、天板４を、鋼製のベース部材１１と表面被覆材１２とで構成することで、天板４の前端部４ａの厚みを薄く抑えつつ、天板４としての強度を確保することが可能となる。
【００３６】
また、上記のような天板４を備えた天板昇降式デスク１は、脚体２が、天板４の中間部に昇降機構ユニット５を有している。このように、脚体２の支柱を構成する昇降機構ユニット５が天板４の前後方向の中間部に位置している場合、天板４の前端部４ａに荷重がかかると、昇降機構ユニット５に大きなモーメントが作用する。特に、天板４が昇降可能な天板昇降式デスク１においては、天板４を上昇させた場合に、天板４の前端部４ａに荷重がかかると、耐転倒性が低下する。
これに対し、上記天板４の前端部４ａには上部スラント面Ｆ２が形成されているので、天板４上に、手を掛けたり、物品を載置する等にしても、上部スラント面Ｆ２には載置しにくい。したがって、天板４上において手を掛けたり物品を載置する等して、荷重が作用する領域は、上部スラント面Ｆ２よりも後方の領域となる。したがって、荷重の作用点は、昇降機構ユニット５に対し、より近い位置となり、昇降機構ユニット５に作用するモーメントが小さくなる。これによって、天板昇降式デスク１の耐転倒性を高めることができる。
【００３７】
また、天板４において、前端部４ａのみに上部スラント面Ｆ２が形成され、後端部４ｂおよび側端部４ｃは、垂下面Ｆｖによって形成されている。したがって、天板昇降式デスク１の後端部４ｂや側端部４ｃを、壁面や他の什器等に突き当てて配置する場合、天板４の後端部４ｂや側端部４ｃと壁面や他の什器との間に隙間や凹部が生じにくい。その結果、天板４上から物品が落ちたりするのを防ぐことができる。
【００３８】
（その他の実施形態）
なお、本発明は、図面を参照して説明した上述の実施形態に限定されるものではなく、その技術的範囲において様々な変形例が考えられる。
例えば、天板４の前端部４ａの上部傾斜部として、上部スラント面Ｆ２を形成したが、前方に向かって下方に傾斜するのであれば、平面状の傾斜面に限らず、湾曲面によって上部傾斜部を構成しても良い。同様に、前端部４ａに形成した下部傾斜部についても、前端下部湾曲面Ｆ４に限らず、下方に向かって後方に傾斜するのであれば、平面状の傾斜面を形成しても良い。
【００３９】
また、上記実施形態では、天板４の前端部４ａのみに上部スラント面Ｆ２を形成するようにしたが、これに限らない。天板昇降式デスク１の使用形態によっては、天板４の後端部４ｂや側端部４ｃに、上部スラント面Ｆ２等を上記と同様に備えた構成としても良い。
【００４０】
また、天板昇降式デスク１は、天板４が昇降可能であれば、例えば脚体２の構成、配置、設置本数等、他のいかなる構成としても良い。
また、昇降機構ユニット５の構成についても、天板４を昇降可能とするのであれば、他のいかなる構成としても良い。
これ以外にも、本発明の主旨を逸脱しない限り、上記実施の形態で挙げた構成を取捨選択したり、他の構成に適宜変更したりすることが可能である。
【符号の説明】
【００４１】
１  天板昇降式デスク
２  脚体
４  天板
４ａ  前端部（端部）
４ｂ  後端部（反対側の端部）
４ｔ  天面（作業面）
５  昇降機構ユニット（支柱）
７  操作部   
１１  ベース部材（支持材）
１２  表面被覆材（被覆材）
Ｆ１  上部湾曲面
Ｆ２  上部スラント面（上部傾斜部）
Ｆ３  前端上部湾曲面（前端面）
Ｆ４  前端下部湾曲面（下部傾斜部、前端面）
Ｆ５  下部平面
【図１】
0006600880.tif 000002
【図２】
0006600880.tif 000003
【図３】
0006600880.tif 000004
【図４】
0006600880.tif 000005
【図５】
0006600880.tif 000006